(57)【要約】【課題】記録メディアを挿入可能な情報処理装置の使い勝手を向上することを目的とする。【解決手段】表示部を備え、複数のアプリケーションを有した情報処理装置であって、着脱可能な記録メディアを挿入可能な記録メディア挿入部と、前記複数のアプリケーションの中で記録メディアに利用可能なアプリケーションを示す管理テーブルを記憶する記憶部と、前記記録メディア挿入部に記録メディアが挿入された場合に、前記記憶部に記録された管理テーブルを用いて、前記記録メディアに利用可能なアプリケーションの一覧画面を前記表示部に表示するように制御する制御部と、を備えていることを特徴とする。【選択図】図１
2008217951.tif 000002
【特許請求の範囲】
【請求項１】
表示部を備え、複数のアプリケーションを有する情報処理装置であって、
着脱可能な記録メディアを挿入可能な記録メディア挿入部と、
前記複数のアプリケーションの中で記録メディアに利用可能なアプリケーションを示す管理テーブルを記憶する記憶部と、
前記記録メディア挿入部に記録メディアが挿入された場合に、前記記憶部に記録された管理テーブルを用いて、前記記録メディアに利用可能なアプリケーションの一覧画面を前記表示部に表示するように制御する制御部と、
を備えていることを特徴とする情報処理装置。
【請求項２】
請求項１に記載の管理テーブルは前記複数のアプリケーションの優先度を示す情報を有しており、前記制御部は、前記優先度に応じて前記アプリケーションの一覧画面を表示することを特徴とする情報処理装置。
【請求項３】
請求項１に記載の情報処理装置はさらに、前記情報処理装置の電源をオンオフする電源制御部と備え、前記記録メディア挿入部に記録メディアが挿入されたときに前記電源がオフされている場合、前記電源制御部は前記電源をオンするように制御することを特徴とする情報処理装置。
【請求項４】
請求項３に記載の情報処理装置はさらに、前記情報処理装置のユーザからの指示が入力される入力部を備え、前記アプリケーションの一覧画面を表示した後、前記入力部に前記ユーザからの指示が入力されない場合であって、前記記録メディア挿入部に記録メディアが挿入されたときに前記電源がオフされていた場合、前記電源制御部は前記電源をオフするように制御することを特徴とする情報処理装置。
【請求項５】
請求項１に記載の情報処理装置はさらに、前記情報処理装置のユーザからのユーザ指示が入力される入力部と番組に関する番組情報を取得する取得部とを備え、前記管理テーブルは前記複数のアプリケーションの優先度を示す情報を有しており、前記複数のアプリケーションは録画予約アプリケーションを含み、前記録画予約アプリケーションが記録メディアに利用可能なアプリケーションであり、かつ、記録メディアに利用可能なアプリケーションの中で前記録画予約アプリケーションの優先度が最も高く設定されている場合、前記入力部への前記ユーザ指示の入力なしに、前記取得部は前記番組情報を取得することを特徴とする情報処理装置。
【発明の詳細な説明】
【技術分野】
【０００１】
本発明は、着脱可能な小型記録メディアを有する情報処理装置及びプログラムに関する。
【背景技術】
【０００２】
特許文献１に、脱着可能な小型メモリカードを有するテレビジョン受信機が開示されて  
【０００３】
いる。このテレビジョン受信機では、地上波デジタル放送、もしくはアナログ放送のチャンネルサーチを実施し、プリセットしていないチャンネルにメモリカードの内部のフォルダ構成を割り当て、その割り当てたチャンネル情報をメモリに保存し、リモコン等で前記フォルダを割り当てたチャンネルキーを押下した場合にメモリ情報をデコードする。
【０００４】
【特許文献１】特開２００６−８６８２０号公報
【発明の開示】
【発明が解決しようとする課題】
【０００５】
パソコンや周辺機器、テレビ装置やビデオ装置、音楽コンポなどのＡＶ機器、携帯電話やデジタルカメラなどの携帯端末には、小型の記録メディアスロットが搭載され、動画や、静止画、音楽など様々な情報の交換が容易になってきている。
【０００６】
特に、テレビ装置に搭載された記録メディアスロットは、放送番組を記録メディアに録画するために利用され、その記録メディアを携帯端末に挿し変えることで、録画した番組を外出先で閲覧できる機能がある。また、デジタルカメラや携帯電話などで撮影した静止画や動画などが記録された記録メディアをテレビ装置の記録メディアスロットに挿入することで、大画面に表示することができ、例えば家族などの複数人で閲覧する際に便利である。
【０００７】
このように、ユーザがテレビ装置などに記録メディアを挿入する際、記録メディア内のデータを閲覧するというユーザの目的は決まっているのに、記録メディア挿入以外に、ユーザはテレビ装置の電源を投入したり、複数のアプリケーションの中から、記録メディアを利用するアプリケーションを選択したりしなければならず、使い勝手が悪いという問題がある。
【０００８】
そこで、本発明は、記録メディアを挿入可能な情報処理装置の使い勝手を向上することを目的とする。
【課題を解決するための手段】
【０００９】
本発明にかかる情報処理装置は、表示部を備え、複数のアプリケーションを有し、着脱可能な記録メディアを挿入可能な記録メディア挿入部と、前記複数のアプリケーションの中で記録メディアに利用可能なアプリケーションを示す管理テーブルを記憶する記憶部と、前記記録メディア挿入部に記録メディアが挿入された場合に、前記記憶部に記録された管理テーブルを用いて、前記記録メディアに利用可能なアプリケーションの一覧画面を前記表示部に表示するように制御する制御部と、を備えていることを特徴とする。
【発明の効果】
【００１０】
本発明は、記録メディアを挿入可能な情報処理装置の使い勝手を向上することができる。
【発明を実施するための最良の形態】
【００１１】
図１は、情報処理装置の構成例を示す図である。情報処理装置１００は、例えばテレビ  
【００１２】
、ビデオ、ＨＤＤ(Hard Disk Drive)レコーダなどのＡＶ(Audio Visual)機器やパソコン、ＰＤＡ(Personal Digital Assistant)、携帯電話などの情報を処理することができる装置である。
【００１３】
記録メディア１０１は、小型で持ち運ぶことが可能な情報蓄積装置であり、例えばＳＤメモリ(Secure Digital memory card)やメモリスティック、記録型または追記型ＤＶＤディスク、コンパクトフラッシュ（登録商標）タイプやPCMCIA（Personal Computer Memory Card International Association）のメモリ装置、小型ＨＤＤ、ＵＳＢ（Universal Serial Bus）タイプのメモリ、ＩＣカードなど様々に考えられる。
【００１４】
記録メディアスロットＩＦ１０２は、記録メディア１０１に対応するインターフェースを有するスロットであり、例えばＳＤカードスロットや、メモリスティックスロット、コンパクトフラッシュ（登録商標）スロット、PCMCIAスロット、ＵＳＢスロット、ＩＣカードスロットなどが考えられる。
【００１５】
電源制御部１０３は、情報処理装置１００の電源のオン／オフを制御する機能を有する。情報処理装置１００の電源とは、情報処理装置１００の全体の機能が稼動するために必要な電源供給を意味しても良いし、制御部１０４が動作できる最低限の電源供給を意味しても良い。電源制御部１０３は、制御部１０４と連動した動作をし、記録メディアスロットＩＦ１０２の状態を監視して、記録メディア１０１が挿入されるなど、記録メディアスロットＩＦ１０２の状態が変化したことを契機に、情報処理装置１００の電源のオン/オフを制御する。電源制御部１０３は、情報処理装置１００の電源がオフにしてある場合であっても、例えば待機電流を利用して、記録メディアスロットＩＦ１０２の状態を監視し、電源のオン/オフを制御する。また、情報処理装置１００が携帯電話などのモバイル端末であり、電源容量が少なく、電源消費を抑えなければならない場合は、記録メディアを挿入した際の物理的な接触を契機に、電源オフからオンへの切替え、制御部１０４を駆動させるようにしても良い。
また、記録メディアスロットＩＦ１０２の状態を監視し、記録メディア挿入を検知して、さらに電源制御部１０３において、記録メディアのRead Only（書込み禁止）などのプロパティ情報や著作権保護機能の有無情報、記録メディアの識別(ID)情報を認識してから、電源オフからオンへの切替え、制御部１０４を駆動させるようにしても良い。記録メディアがRead Only（書込み禁止）だった場合には、記録メディアに情報を保存するアプリケーションを起動しない処理が可能となり、さらにユーザの使い勝手を向上できる。記録メディア自体の著作権保護機能の有無の情報が存在する場合には、その記録メディアを利用するためには、情報処理装置１００が著作権保護機能に対応している必要がある。電源制御部１０３において、情報処理装置１００が著作権保護機能に対応していることを認識した場合には、電源オフからオンへの切替え、制御部１０４を駆動させることも可能となる。情報処理装置１００が著作権保護機能に対応していないことを認識した場合には、電源制御部１０３において、電源をオフからオンへの切替えを実施させないことも可能となる。この場合、著作権保護機能に対応した記録メディアの不正利用を防ぐことができることになる。また、記録メディアが識別(ID)情報を保持している場合には、あらかじめユーザが入力部１０５から電源制御部１０３にその記録メディアの識別情報を保存しておき、電源制御部１０３に保存した識別情報と記録メディアの識別情報が一致した場合には、電源制御部１０３において、電源をオフからオンへの切替えを実施し、一致しない場合には、電源をオフからオンへの切替えを実施しないことも可能となる。これにより、他人が不正に情報処理装置１００において、記録メディアを利用しようとした場合に、登録されていない記録メディアは使用不可とすることができ、セキュリティを向上することが可能となる。
【００１６】
制御部１０４は、情報処理装置１００の動作を制御するメインの処理部である。例えば、ユーザＩＦ１０６を介してユーザからの入力を受け取り、アプリケーション管理部１０９からアプリを呼出し、表示制御部１０７を介して表示部１０８に処理の結果をユーザに表示する。また、電源制御部１０３を用いて、情報処理装置１００の電源の監視や制御を行い、記録メディア挿入時の電源オン／オフ状態を記憶する。
【００１７】
入力部１０５は、情報処理装置１００への指示を入力するものである。入力部１０５は例えばリモコンであり、赤外線やZig-Bee、無線ＬＡＮなどの無線通信を利用し、情報処理装置１００を遠隔操作する。
【００１８】
ユーザＩＦ(InterFace)１０６は、入力部１０５からの入力を受取り、その情報を制御部１０４に渡し、アプリケーション管理部１０９からアプリケーションを読み出したりや、表示部１０８に情報を表示したりする。
【００１９】
表示制御部１０７は、制御部１０４で指定されたデータや記録メディアから読込んだ動画や静止画、アプリケーション管理部のアプリなど、各フォーマットに従った様に情報を形成して、表示部１０８に表示する。
【００２０】
表示部１０８は、ユーザに情報を表示するための画面であり、液晶画面やプラズマ画面、ブラウン管画面、ＬＥＤ（Light Emitting Diode）画面、有機ＥＬ画面など様々考えられる。
【００２１】
アプリケーション管理部１０９は、メモリで構成され、複数のアプリケーションプログラムを記憶するメモリと制御部１０４からのアプリケーションの実行指示を受付け、アプリケーションを実行するＡＰＩ（Application Program Interface）も有する。また、アプリケーション管理部１０９は、アプリケーション管理テーブルを記憶している。
【００２２】
図３に、アプリケーション管理テーブルの一例を示す。このデータテーブルでは、アプリケーション名毎に、記録メディアを利用するかどうかを示す情報が関連付けられている。例えば、図において、×表示であれば記録メディアを利用しないことを、○表示であれば記録メディアを利用することを示している。これにより、記録メディアが挿入された場合に、複数のアプリケーションの中から、記録メディアを利用するものだけを一覧表示することができる。また、本例では、アプリケーションごとの優先度を示す情報を記憶している。この優先度に応じて、一覧表示するアプリケーションの順番を変更したり、優先度の高いアプリケーションから起動させたりする。記録メディアが挿入された場合には、○表示になっている記録メディアを利用するアプリケーションの中で、優先度の高いものから順に一覧表示する。
【００２３】
また、アプリケーションが起動した後、ある一定時間ユーザが何も操作しなかった場合に次の動作に移行させるためのタイマ値を示す情報を記憶する。この場合、テーブルに応じて起動したアプリケーションの有効な時間が設定でき、記録メディアを挿入後、利用する用事がない場合などに、設定タイマ後に電源をオフすることもでき、省電力化が図れる。また、例で示したテーブルの様に、放送映像表示の場合には、タイマを設定せず、ユーザが手動で電源をオフするまでは、電源がオフされない設定にしても良く、ユーザ毎に利便性の高い使い方を設定できる。
【００２４】
図３に示したアプリケーション管理テーブルは一例であって、この他の情報を記憶しても良いし、例えば記録メディア利用を示す情報などの一部の情報のみを記憶するようにしても良い。また、このテーブルは予め情報処理装置１００に記憶されていても良いが、ユーザＩＦ１０６を介して、ユーザが使用形態に応じて登録できるようにすることが好ましい。
【００２５】
図２は、情報処理装置１００に記録メディア１０１を挿入した際の動作シーケンスの一例を示すものである。
【００２６】
まず記録メディア１０１が情報処理装置１００に挿入されると（Ｓ２００）、制御部１０４内の電源制御部１０３が、記録メディア１０１が挿入されたことを検知して、情報処理装置１００の電源がオンかオフかを判定し、この判定結果を保存する（Ｓ２０１）。情報処理装置１００の電源がオフされている場合には、電源供給を開始する（Ｓ２０２）。  このように制御することにより、情報処理装置１００の電源がオフになっている場合でも、記録メディア１０１を情報処理装置１００のメモリスロットＩＦ１０２に挿すだけで電源を自動的にオンにすることができ、ユーザの使い勝手を向上することができる。
【００２７】
次に、Ｓ２０３において、制御部１０４は、アプリケーション管理部１０９に記憶されたアプリケーション管理テーブルから、記録メディアを利用するアプリケーションを検索し、記録メディアを利用するアプリケーション一覧情報を取得する（Ｓ２０３）。取得したアプリケーション一覧情報を、表示制御部１０７でアプリ一覧画面を作成し、作成したアプリ一覧画面を表示部１０８に表示する（Ｓ２０４）。これにより、情報処理装置１００に多くのアプリケーションが記憶されている場合であっても、その中から記録メディアに利用可能なものを見つける手間を省き、ユーザの使い勝手を向上することができる。
【００２８】
次に、ある規定間隔のタイマを開始し（Ｓ２０５）、ユーザの入力を待ち（Ｓ２０６）となる。図示していないが、ユーザから入力があった場合は、規定時間のタイマを再スタートする。例えば、ユーザが利用するアプリケーションを選択した場合には、そのアプリケーションを起動させ、再度タイマをスタートさせる。なお、この際、タイマの満了時間は、ユーザによりアプリケーションが選択された場合には、図３に示すアプリケーション管理テーブルに記憶されたタイマ時間に変更する。
【００２９】
所定期間ユーザからの入力がなく、Ｓ２０５のタイマが満了し、かつ、Ｓ２０１で保存した電源状態の判定結果がYes、つまり、記録メディアを挿入する前は、情報処理装置１００の電源がオフの場合には（Ｓ２０７）、終了処理をして、情報処理装置１００の電源をオフにする（Ｓ２０８）。これにより、記録メディアを挿入したが、ユーザが情報処理装置１００を使用していない場合に、電源がいつまでも付いたままになることを防ぐことができ、省電力化の効果がある。
【００３０】
このシーケンス処理によって、電源投入がなされていない情報処理装置１００において、ユーザが記録メディア１０１を挿入するだけで、利用可能なアプリケーションが表示され、ユーザは使用したいアプリケーションをすぐに選択できる。なお、利用可能なアプリケーションが１つのみの場合には、ユーザの選択なしに、自動的にそのアプリケーションを起動するようにしても良い。これにより、ユーザ入力の手間を省くことができる。
【００３１】
図４は、情報処理装置１００の表示部１０８に表示される、記録メディア挿入時の画面の例である。本例では、記録メディアに利用するアプリケーションとして、“番組予約”、“画像閲覧”、“音楽再生”、“データ消去”を表示している。情報処理装置１００に記録メディア１０１を挿すのみで、記録メディア１０１を利用するアプリケーションを限定して表示することで、ユーザは利用したいアプリケーションを簡単に画面上から選ぶことができる。なお、ユーザは、入力部１０５を利用して、利用したいアプリケーションを選択する。
【００３２】
また、アプリケーション管理テーブルに優先度を示す情報が記憶されている場合には、利用できるアプリケーションとともに、その優先度を数字で表示したり、優先度が高い順に表示したりするようにする。
【００３３】
図５は、情報処理装置が、テレビ装置である場合の構成例を示す図である。図１と同じ構成については、同じ符号を用いて説明を省略する。なお、制御部１０４に関しては、一般的なテレビ、ビデオ機能の制御も含み、テレビ視聴、チャネル変更、番組選択、録画処理などもできる。
【００３４】
テレビ装置５００は、放送の映像を受信して、画面に表示できる放送受信テレビジョン装置である。放送受信アンテナ５０１は、地上波、衛星波などの放送電波を受信するアンテナである。チューナ部５０２は、無線のラジオ放送・テレビ放送を受信・選局する。データ復調部５０３は、チューナ部５０２で受信した変調信号をもとの信号波を復元する。信号処理部５０４は、ラジオ放送・テレビ放送で伝送されてきた、音声信号、映像信号やデータ信号を処理する。
【００３５】
ＥＰＧ情報５０５は、これから放送される予定の番組の情報が記述されたリストである。地上波放送の電波に番組情報（ＥＰＧ：Electronic Program Guide）が含まれ、それを受信し、テレビ装置５００内のメモリ領域に保存することにより取得できる場合と、ネットワークＩＦ５０６を介して、インターネット５０７で受信できる場合がある。延長番組や、急遽番組変更があった場合は、インターネット経由で取得したＥＰＧ情報の方が最新の情報を利用できる場合がある。また、インターネットに接続できる仕組みを有することで、記録メディアを利用するアプリケーションをインターネット経由でダウンロードして、ユーザの利便性を向上できる。さらに、番組放送が地上波、衛星波で配信されるのではなく、ＩＰ放送になった場合もネットワークＩＦ５０６を有することで、ネットワークを介して番組を録画することも可能である。
【００３６】
ネットワークＩＦ５０６は、インターネット網５０７に接続するための、ネットワークインターフェースである。Ethernet（登録商標）のインターフェースや、無線ＬＡＮ（Local Area Network）、携帯通信網などが考えられる。
【００３７】
音声制御部５０８は、マイク・スピーカ５０９を利用して、受信した放送の音声を再生したり、マイクを装着することで、ユーザの音声を認識できる。これは、表示部に利用できるアプリケーションなどを表示している間に、ユーザに放送で受信した音声を再生できることができる。また、入力部の操作をマイクを介してユーザの声を認識することで、テレビ装置のリモコンを利用しないで、記録メディアを利用するアプリケーションを選択できることも考えられる。記録部５１０は、受信した放送コンテンツやインターネット経由でダウンロードしたコンテンツを保存することができる。記録部５１０と記録メディア１０１間でコンテンツの移動やコピーをするアプリケーションを利用する場合には、そのアプリケーションにも本発明を適用できる。
【００３８】
図６は、テレビ装置５００に記録メディア１０１を挿入した際の動作シーケンスの一例を示すものである。なお、本例のＳ６０３〜Ｓ６１７では、例えば図３に示すようにアプリケーション管理テーブルに番組予約アプリケーションの優先度が高く設定されている場合の処理例について示している。
【００３９】
まず記録メディア１０１をテレビ装置５００に挿入する（Ｓ６００）、すると、制御部１０４内の電源制御１０３が、記録メディアが挿入されたことを検知して、テレビ装置５００の電源がオンかオフかを判定し、その判定結果を保存する（Ｓ６０１）。テレビ装置５００の電源がオフの場合には、電源をオンし、制御部１０４が動作するための電源供給を開始する（Ｓ６０２）。  本例では、Ｓ６０２１において、アプリケーション管理テーブルにおいてで、番組予約アプリケーションの優先度が一番高く設定されているか否かを判断し、高く設定されている場合、ＥＰＧ情報を取得する（Ｓ６０３）。ＥＰＧ情報を取得すると、表示部１０８に番組情報を表示する（Ｓ６０４）。このように、番組予約アプリケーションの優先度が高い場合に、自動的にＥＰＧ情報を取得し、番組情報を表示することにより、ユーザは複雑な操作なしに容易に、録画を希望する番組を選択することができる。
【００４０】
なお、この際に、番組情報とともに、記録メディアを利用するアプリケーション一覧情報を表示するようにしても良い。番組予約アプリケーションの優先度が高い場合であっても、ユーザは他のアプリケーションの起動を希望する場合があるため、番組情報とともに、アプリケーション一覧情報を表示し、他のアプリケーションを選択できるようにすることにより、ユーザの使い勝手を向上することができる。
【００４１】
次に、ある規定間隔のタイマを開始し（Ｓ６０５）、ユーザの入力を待ち（Ｓ６０６）となる。所定期間ユーザからの入力がなく、Ｓ６０１で保存した電源状態の判定結果がYes、つまり、記録メディアを挿入する前は、テレビ装置５００の電源がオフの場合には（Ｓ６０７）、終了処理をして、テレビ装置５００の電源をオフにする（Ｓ６０８）。
【００４２】
これにより、記録メディアを挿入したが、テレビ装置５００を使用していない場合に、電源がいつまでも付いたままになることを防ぐことができる。
【００４３】
Ｓ６０７において、Ｓ２０１判定がＮｏ、または、Ｓ６０５のタイマが満了していない間は、ユーザからの番組録画予約が行われたかどうかをチェックして（Ｓ６０９）、録画予約がされていない場合は、ユーザ入力待ちに移行する（Ｓ６０６）。
【００４４】
Ｓ６０９でユーザにより録画する番組が選択された場合は、自動的に録画先を記録メディア１０１に設定し、ＥＰＧ情報から取得した番組の放送チャネル、開始時刻、終了時刻から、番組の予約処理を実施する（Ｓ６１０）。
【００４５】
その後、例えば図７に示すように、ユーザにテレビ視聴に移行するか、処理を終了するかの問い合わせをする画面を表示部１０８に表示する（Ｓ６１１）。問い合わせ画面を表示した後、タイマを開始し（Ｓ６１２）、視聴希望の入力がなく、Ｓ６１２のタイマが満了した場合には（Ｓ６１４）、処理を終了し、テレビ装置５００の表示部１０８を自動的にオフする（Ｓ６１５）。なお、Ｓ６１２のタイマの満了時間を、録画している番組の終了時間に設定する場合には、テレビ装置５００の電源をオフするように制御しても良い。これにより、録画終了後に、電源が付いたままになることを防ぐことができ、省電力化の効果がある。
【００４６】
Ｓ６１４で判定がＮｏの場合は、視聴希望の入力があるかどうかを判断し（Ｓ６１６）、視聴希望の入力があった場合には、テレビ視聴を継続する（Ｓ６１７）。
【００４７】
このように制御することにより、ユーザが記録メディアを挿入するだけで、テレビ装置の電源が自動的に投入され、テレビ装置の表示部にＥＰＧが表示され、視聴したい番組をすぐに選択し、することができるため、ユーザの使い勝手を向上することができる。さ。
【００４８】
以上、本発明の実施の形態を説明したが、上述した本発明の各実施の形態は、本発明の説明のための例示であり、本発明の範囲を実施形態にのみ限定する趣旨ではない。当業者は、本発明の要旨を逸脱することなしに、他の様々な態様で本発明を実施できる。
【図面の簡単な説明】
【００４９】
【図１】情報処理装置の構成例を示す図である。
【図２】情報処理装置に記録メディアを挿入した際の動作シーケンスの一例を示す図である。
【図３】アプリケーション管理テーブルの一例を示す図である。
【図４】記録メディア挿入時における情報処理装置の表示画面の例である。
【図５】テレビ装置の構成例を示す図である。
【図６】テレビ装置に記録メディアを挿入した際の動作シーケンスの一例を示す図である。
【図７】テレビ視聴に移行するか否かの問い合わせ画面の一例である。
【符号の説明】
【００５０】
１００…情報処理装置
１０１…記録メディア
１０２…記録メディアスロットＩＦ
１０３…電源制御
１０４…制御部
１０５…入力部
１０６…ユーザＩＦ
１０７…表示制御部
１０８…表示部
１０９…アプリケーション管理部
５００…テレビ装置
５０１…アンテナ
５０２…チューナ部
５０３…データ復調部
５０４…信号処理部
５０５…ＥＰＧ情報
５０６…ネットワークＩＦ
５０７…インターネット
５０８…音声制御部
５０９…マイク・スピーカ
５１０…記録部
【図１】
2008217951.tif 000003
【図２】
2008217951.tif 000004
【図３】
2008217951.tif 000005
【図４】
2008217951.tif 000006
【図５】
2008217951.tif 000007
【図６】
2008217951.tif 000008
【図７】
2008217951.tif 000009